(57)【要約】      （修正有）【課題】天井埋込型空気調和機の吸込通路における吸込み効率を向上できるようにすること。【解決手段】天井埋込型空気調和機は、下面を開口する筐体１６と、この筐体１６の内部に設ける熱交換器２１、送風機２０及びベルマウス２６と、このベルマウス２６に対向して中央に吸込口２７ａを有し、吸込口２７ａの周囲に吹出口２７ｂを備え、筐体１６の開口を閉塞する化粧パネル２７とを備えており、このベルマウス２６には、送風機２０に対応する円形の吸込基部２６ａと、この吸込基部２６ａから吸込口２７ａに向かって徐々に拡大する傾斜面を有する開口部２６ｂを備え、この開口部２６ｂの形状を吸込口２７ｂの角部の形状に沿うように形成した。【選択図】図１
2008057812.tif 000002
【特許請求の範囲】
【請求項１】
下面を開口する筐体と、同筐体の内部に設ける熱交換器、送風機及びベルマウスと、同ベルマウスに対向して中央に吸込口を有し、同吸込口の周囲に吹出口を備え、前記筐体の開口を閉塞する化粧パネルとを備えた空気調和機において、前記ベルマウスは、前記送風機に対応する円形の吸込基部と、同吸込基部から前記吸込口に向かって徐々に拡大する傾斜面を有する開口部を備え、同開口部の形状を前記吸込口の角部の形状に沿うように形成したことを特徴とする空気調和機。
【請求項２】
前記ベルマウスの開口部の形状は、前記吸込口を四辺形とし、同吸込口の四辺形の角部及び辺部に沿うように形成したことを特徴とする請求項１記載の空気調和機。
【発明の詳細な説明】
【技術分野】
【０００１】
本発明は空気調和機に係り、詳細には、天井埋込型空気調和機の吸込通路における吸込み効率を向上できるようにしたものに関する。
【背景技術】
【０００２】
従来から、室内の天井に埋め込まれるケーシングの化粧パネルの中央に吸込口を備え、この吸込口を取囲むように４つの吹出口を備えた４方吹出タイプの天井埋込型空気調和機が知られている。
【０００３】
このタイプの天井埋込型空気調和機は、本体ケーシングの下方側に、室内の天井面に取付ける化粧パネルを取付けてケーシングを形成している。ケーシングの化粧パネルの中央に吸込口を設け、この吸込口を取囲む４方に４つの吹出口を設けている。
【０００４】
本体ケーシングの内部に、吸込口と対向するようにベルマウスをもった１つのファン及びファンモータを内装している。そして、ファンの周囲に熱交換器と、この熱交換器で熱交換する空気の結露水を受け止めるドレンパンを周設している。また、化粧パネルの吸込口には吸込グリルを設けると共に、この吸込グリルの内側にはフィルタを取付けている。更に、化粧パネルの内側で吸込口の角部に、電装品を内蔵したコントロールボックスを内装している。
【０００５】
以上説明してきた天井埋込型空気調和機は、住宅事情を背景に部屋の横長化やリビングルームの拡大などの室内空間の変化に伴って、吸込み風量をより多く確保し、熱交換器の容量を増加させているものも存在している。このため、ケーシングの容積を大きくするように、化粧パネルの吸込口および吸込グリルの形状を長方形としたものが知られている。
【０００６】
このような長方形の吸込口を備えた天井埋込型空気調和機には、本体ケーシングの内部に、長方形の吸込口に対応するように、この吸込口と対向するベルマウスの形状を改良しているものがある（例えば、特許文献１参照。）。
【０００７】
具体的には、図６及び図７に示すように、ベルマウス１２は、ファン５におけるファンロータ５ａ側の吸込基部１３をファンロータ５ａに対応する円形とし、長方形の吸込口３に向かって開口する開口部１４を吸込口３の形状に対応した楕円形としている。更に、この開口部１４と吸込基部１３との間に、楕円形から円形に順次変化する傾斜面１５ａをもった中継部１５を設けている。
【０００８】
このように構成された天井埋込型空気調和機の動作を説明する。ファンモータ６を駆動してファンロータ５ａを回転させると、室内の空気は吸込口３から吸込グリル９及びフィルタ１０を介してベルマウス１２に吸込まれた後、熱交換器７に向かって吹出され、熱交換器７で熱交換して吹出口４から空調空気として室内に吹出される。
【０００９】
更に、吸込グリル９及びフィルタ１０から室内の空気が吸込まれるとき、従来の開口部を円形としたベルマウスの開口面積に比較して、ベルマウス１２の開口部１４を吸込口３の形状に対応して楕円形とすることにより、長方形の吸込口３の開口面積に近づけることができることから、吸込グリル９からファンロータ５ａの吸込部分に至る吸込通路への吸込み風量を大きくできる構造になっている。
【特許文献１】特許第３０７９８９８号公報（第２頁〜第３頁、第１図及び第２図）
【発明の開示】
【発明が解決しようとする課題】
【００１０】
しかしながら、特許文献１の天井埋込型空気調和機では長方形の吸込口３に対応するように、ベルマウス１２の開口部１４を楕円形としているが、吸込グリル９の大きさに対してベルマウス１２の開口部１４の大きさが十分でないため、室内の空気を効果的に吸込むことができないという問題点があった。
【００１１】
本発明は上記問題点に鑑み、天井埋込型空気調和機の吸込通路における吸込み効率を向上できるようにした空気調和機を提供することを目的とする。
【課題を解決するための手段】
【００１２】
本発明は上記課題を解決するため、請求項１記載の発明は、下面を開口する筐体と、同筐体の内部に設ける熱交換器、送風機及びベルマウスと、同ベルマウスに対向して中央に吸込口を有し、同吸込口の周囲に吹出口を備え、前記筐体の開口を閉塞する化粧パネルとを備えた空気調和機において、前記ベルマウスは、前記送風機に対応する円形の吸込基部と、同吸込基部から前記吸込口に向かって徐々に拡大する傾斜面を有する開口部を備え、同開口部の形状を前記吸込口の角部の形状に沿うように形成したことを特徴とする構成となっている。
【００１３】
請求項２記載の発明は、請求項１記載の本発明において、前記ベルマウスの開口部の形状は、前記吸込口を四辺形とし、同吸込口の四辺形の角部及び辺部に沿うように形成したことを特徴とする構成となっている。
【発明の効果】
【００１４】
請求項１記載の本発明によれば、ベルマウスの開口部の形状を吸込口の角部の形状に沿うように形成した。このため、化粧パネルの内側で吸込口の角部から室内の空気を吸込むことができ、吸込口からファンの吸込部分に至る吸込通路における吸込み効率を向上することができる。
【００１５】
請求項２記載の本発明によれば、前記ベルマウスの開口部の形状は、前記吸込口を四辺形とし、同吸込口の四辺形の角部及び辺部に沿うように形成した。このため、請求項１記載の本発明と同様な効果を得ることができる。
【発明を実施するための最良の形態】
【００１６】
以下、本発明の実施の形態を、添付図面に基づいた実施例として詳細に説明する。図１は本発明による天井埋込型空気調和機の構成を示す分解斜視図、図２は本発明による天井埋込型空気調和機の構成を示す断面図、図３は本発明によるベルマウスを示す外観図で（Ａ）は正面図、（Ｂ）は側面図、図４は本発明によるベルマウスを示す斜視図で（Ａ）は裏面斜視図、（Ｂ）は正面斜視図、図５は図３のＡ−Ａ’断面及びＢ−Ｂ’断面を合成して示す断面図である。
【実施例１】
【００１７】
本発明による天井埋込型空気調和機は、図１及び図２に示すように、下面を開口する筐体１６と、この筐体１６の内部に設ける熱交換器２１、送風機２０及びベルマウス２６と、このベルマウス２６に対向して中央に吸込口２７ａを有し、吸込口２７ａの周囲に吹出口２７ｂを備え、筐体１６の開口を閉塞する化粧パネル２７とを備えている。
【００１８】
本発明では、ベルマウス２６は、送風機２０に対応する円形の吸込基部２６ａと、この吸込基部２６ａから吸込口２７ａに向かって徐々に拡大する傾斜面を有する開口部２６ｂを備えており、この開口部２６ｂの形状を吸込口２７ｂの角部の形状に沿うように形成したところを特徴としている。
【００１９】
以下、本発明の構成を図１及び図２を用いて具体的に説明する。筐体１６は、平面視で正方形であったものの四隅を欠落して八角形となした上面壁１６ａと、この上面壁１６ａの各辺部に沿って一体に設けられる側壁１６ｂとからなり、筐体１６の下面は開口している。
【００２０】
また、筐体１６は、図示を省略した吊下げ手段によって天井裏１７に吊下げ固定されており、筐体１６の下面の開口が天井板１８に設けられる開口部１８ａと対向している。さらに筐体１６には、その上面壁１６ａおよび側壁１６ｂの一部のそれぞれ内面に断熱材１９が密着して取付けられている。
【００２１】
筐体１６の上面壁１６ａの中央部の内面に、送風機２０を構成するファンモータ２０ｍが取付けられている。このファンモータ２０ｍの軸方向は垂直方向に向けられ、下方に突出する回転軸２０ａにファン２０ｆが取付けられている。このファン２０ｆは、ファンモータ２０ｍにより回転駆動されると、この軸方向である下部側から空気を吸込んで、周方向へ吹出す送風作用をもっている。
【００２２】
さらに、送風機２０を中心に、その周囲を囲むように熱交換器２１が配置されている。この熱交換器２１は、平面視で略正方形となっており、送風機２０のファン２０ｆから吹出される風を受ける位置に配置されている。なお、熱交換器２１は、図示を省略した室外ユニットに配置される圧縮機や室外熱交換器などと冷凍サイクルを構成するよう冷媒配管を介して接続されている。
【００２３】
また、熱交換器２１は筐体１６の下端の開口に断熱材１９を介して嵌め込まれるドレンパン２２の受け部上に載置されて、このドレンパン２２と筐体１６の上面壁１６ａとの間に断熱材１９を介して支持されている。すなわち、熱交換器２１の上端面は筐体１６の上面壁１ａに断熱材１９を介して密着し、熱交換器２１の下端面はドレンパン２２に密着している。
【００２４】
そして、ドレンパン２２は、４つの辺部の内側に４つの吹出通風口２２ａが形成され、中心部にベルマウス２６が取付けられる吸込開口部２３が形成されている。このドレンパン２２は、筐体１６の側壁１６ｂに断熱材１９を介して嵌め込まれており、ドレンパン２２の吹出通風口２２ａには、送風機２０のファン２０ｆから吹出され、熱交換器２１により熱交換された空気を通すようになっている。
【００２５】
ベルマウス２６は、上端に円形の吸込基部２６ａが形成され、下端にドレンバン２２の吸込開口部２３に対応する開口部２６ｂが形成され、吸込基部２６ａから開口部２６ｂまで徐々に拡大する傾斜面を有している。このベルマウス２６の吸込基部２６ａは、送風機２０のファン２０ｆと近接した位置に対向して配置されている。
【００２６】
また、化粧パネル２７は平面視で略正方形となっており、筐体１６の下端の開口を閉塞するようになっている。この化粧パネル２７は、天井板１８から室内Ｒに露出する位置にあって、中央部に略正方形の吸込口２７ａが設けられ、この周辺部に４つの長方形の吹出口２７ｂが開口している。さらに、化粧パネル２７の吸込口２７ａは、ベルマウス２６の開口部２６ｂと対向して設けられ、この吸込口２７ａにはベルマウス２６と近接して、フィルタ２９、吸込グリル２８の順に取付けられている。
【００２７】
このように構成された天井埋込型空気調和機によれば、送風機２０の作用によって化粧パネル２７の吸込口２７ａから吸込まれた室内空気は、一次側空気としてベルマウス２６の開口部２６ｂに導入され、かつ、ベルマウス２６の傾斜面から吸込基部２６ａに向かって案内され、送風機２０のファン２０ｆに導入されるようになっている。
【００２８】
一方、化粧パネル２７の吹出口２７ｂはドレンパン２２の吹出通風口２２ａと対向して連通するように設けられ、熱交換器２１により熱交換された空気は、二次側空気として吹出通風口２２ａを介して吹出口２７ｂに導入され、吹出口２７ｂから室内Ｒへ吹出されるようになっている。
【００２９】
次に、図３乃至図５を用いて、化粧パネル２７の吸込口２７ａ、すなわち、吸込グリル２８に対向するように配置されるベルマウス２６について具体的に説明する。図３乃至図４に示すように、ベルマウス２６は吸込グリル２８の角部の形状に対応するように、その開口部２６ｂの形状は平面視で略正方形となっており、吸込グリル２８の角部の形状に沿った形となっている。
【００３０】
詳細には、開口部２６ｂは、吸込口２７ａと同様、略正方形の吸込グリル２８の角部および辺部に沿うように、略正方形の角部および辺部をもっている。この開口部２６ｂの角部は円弧状に丸みを持たせていて、ドレンパン２２の吸込開口部２３に取付けるための取付手段が設けられている。
【００３１】
そして、図５に示すように、ベルマウス２６の円形の吸込基部２６ａから開口部２６ｂに向かって徐々に拡大する傾斜面２６ｃ、すなわち、すり鉢状に形成され、開口部２６ｂの角部および辺部まで傾斜面２６ｃが延長して形成されている。吸込基部２６ａの中心から開口部２６ｂの角部までの距離は辺部までの距離より長くなるので、角部まで延長して形成される傾斜面２６ｃの方が緩やかな傾斜角度となっている。このように、ベルマウス２６の形状を、化粧パネル２７の吸込口２７ａに配置される吸込グリル２８の形状に対応するように構成することにより、吸込口２７ａの角部から室内の空気を吸込むことができる。
【００３２】
また、円形の吸込基部と円形の開口部（本発明によるベルマウス２６の開口部２６ｂの対向する辺部の間隔と同じ直径）をもつ従来の円形ベルマウスと比較した場合、本発明のベルマウス２６は、吸込基部２６ａから開口部２６ｂまでの傾斜面２６ｃを、吸込基部２６ａから開口部２６ｂの角部及び辺部に至る途中まで同じ傾斜とし、その後、角部まで延長する部分を辺部まで延長する部分よりも緩やかな傾斜として開口するものとしている。
【００３３】
よって、ベルマウス２６は、吸込グリル２８の角部から開口部２６ｂの角部に向けて室内の空気を取入れて案内することができるものとなっており、従来の角部をもたなかった円形ベルマウスと、本発明によるベルマウス２６の吸込通路における吸込み効率について実験したところ、送風機２０のファンモータ２０ｍの回転を同一回転数1,050rpmとしたとき、従来の円形ベルマウスに対して本発明によるベルマウス２６の方が吸込み風量の増加が認められるとともに吸込み効率が４％増加している結果が得られた。
【００３４】
以上説明してきたように、本発明による天井埋込型空気調和機によれば、次のような有利な効果がある。すなわち、本発明によれば、ベルマウス２６の形状として、送風機２０に対応する円形の吸込基部２６ａと、吸込基部２６ａから吸込口２７ａに向かって徐々に拡大する傾斜面２６ｃを有する開口部２６ｂを備え、この開口部２６ｂの形状を吸込口２７ａの角部の形状に沿うように形成した。更に、ベルマウス２６の開口部２６ｂの形状として、吸込口２７ａを四辺形（略正方形）とし、この吸込口２７ａの四辺形（略正方形）の角部及び辺部に沿うように形成した。このため、化粧パネル２７の内側で吸込口２７ａの角部から室内の空気を吸込むことができ、吸込口２７ａからファン２０ｆの吸込部分に至る吸込通路における吸込み効率を向上することができる。
【００３５】
なお、実施例１では、天井埋込型空気調和機の例を示したが、空気調和機の室外機や、その他の送風機についても本発明におけるベルマウスの構成を応用することができる。
【図面の簡単な説明】
【００３６】
【図１】本発明による天井埋込型空気調和機の構成を示す分解斜視図である。
【図２】本発明による天井埋込型空気調和機の構成を示す断面図である。
【図３】本発明によるベルマウスを示す外観図で（Ａ）は正面図、（Ｂ）は側面図である。
【図４】本発明によるベルマウスを示す斜視図で（Ａ）は裏面斜視図、（Ｂ）は正面斜視図である。
【図５】図３のＡ−Ａ’断面及びＢ−Ｂ’断面を合成して示す断面図である。
【図６】従来の天井埋込型空気調和機の構成を示す断面図である。
【図７】図６の化粧パネルの一部を省略して下方からみた底面図である。
【符号の説明】
【００３７】
１６  筐体
１６ａ  上面壁
１６ｂ  側壁
１７  天井裏
１８  天井板
１８ａ  開口部
１９  断熱材
２０  送風機
２０ａ  回転軸
２０ｆ  ファン
２０ｍ  ファンモータ
２１  熱交換器
２２  ドレンパン
２２ａ  吹出通風口
２３  吸込開口部
２６  ベルマウス
２６ａ  吸込基部
２６ｂ  開口部
２６ｃ  傾斜面
２７  化粧パネル
２７ａ  吸込口
２７ｂ  吹出口
２８  吸込グリル
２９  フィルタ
Ｒ  室内
【図１】
2008057812.tif 000003
【図２】
2008057812.tif 000004
【図３】
2008057812.tif 000005
【図４】
2008057812.tif 000006
【図５】
2008057812.tif 000007
【図６】
2008057812.tif 000008
【図７】
2008057812.tif 000009